(57)【要約】      （修正有）【課題】パネルシャッタに於いて、火災発生時に、パネルが加熱されて湾曲し、ガイドローラがガイドレールから外れた場合でも、又ガイドローラが溶融してパネルの水平方向の規制力が失われた場合でも、シャッタカーテンの両端部で、或はシャッタカーテンの上部で隙間が生じることを抑制し、防火性能を高める。【解決手段】パネルが屈曲自在に連結されたシャッタカーテン７を有し、該シャッタカーテンがガイドレール３，４，５に沿って昇降するパネルシャッタに於いて、前記ガイドレール及び前記シャッタカーテンの端部を覆う様にサイドカバー１８を躯体側に設けた。【選択図】図３
2010222872.tif 000002
【特許請求の範囲】
【請求項１】
パネルが屈曲自在に連結されたシャッタカーテンを有し、該シャッタカーテンがガイドレールに沿って昇降するパネルシャッタに於いて、前記ガイドレール及び前記シャッタカーテンの端部を覆う様にサイドカバーを躯体側に設けたことを特徴とするパネルシャッタ。
【請求項２】
上方に延出し、先端部が逆凹状に形成されたハング部材が最上段のパネルに固着され、前記躯体側の、前記シャッタカーテンが閉鎖状態で、前記ハング部材に対応する位置にフック部材が設けられ、前記最上段のパネルが降下することで、前記ハング部材と前記フック部材が係合する様にした請求項１のパネルシャッタ。
【請求項３】
前記フック部材は、前記躯体側に固定されるフック固定板と、該フック固定板を介して前記躯体側に固定されるフックプレートとを有し、前記ハング部材は前記シャッタカーテン幅全長、或は略全長に亘る長さを有し、係合片は所要数、所要の間隔で設けられ、前記フック固定板は上下方向に位置調整可能であり、又前記係合片は水平方向に位置調整可能である請求項２のパネルシャッタ。
【請求項４】
前記フック固定板は熱変形可能な様に製作され、前記係合片は前記シャッタカーテンを支持可能な強度に製作した請求項３のパネルシャッタ。
【請求項５】
前記パネルはアルミニウム合金の中空部材であり、中空部に補強部材を嵌入した請求項１のパネルシャッタ。
【発明の詳細な説明】
【技術分野】
【０００１】
本発明は、パネルを上下方向に所要数連結して構成されるシャッタカーテンを有するパネルシャッタに関するものであり、特に防火性能を向上させたパネルシャッタに関するものである。
【背景技術】
【０００２】
工場等の建築物の出入口等の開口部を開閉する装置としてパネルシャッタが有り、パネルシャッタには開口部の開閉だけでなく、火災発生時には延焼の防止、煙を遮断する機能が求められる。
【０００３】
一般的に、パネルはアルミニウム合金の押出し成形品、引抜き成形品であり、所要数のパネルが上下に屈曲自在に連結されてシャッタカーテンが構成され、又パネルの両端に樹脂製のガイドローラが回転自在に設けられる。又、前記開口部の両側に、上下に延びるガイドレールが設けられ、前記ガイドローラが前記ガイドレールに転動自在に嵌合し、該ガイドレールに前記ガイドローラが案内され、前記ガイドレールに沿ってシャッタカーテンが昇降する様になっている。
【０００４】
シャッタカーテンが開口部を閉鎖している状態では、閉鎖力はシャッタカーテンの自重によって与えられ、又水平方向の規制は前記ガイドローラと前記ガイドレールとの嵌合によって与えられている。
【０００５】
ところが、火災が発生した場合、例えば室内側で火災が発生した場合、パネルは室内側面（以下内面）が加熱され、外面が外部に露出した状態であるので、内面と外面とで温度差が生じ、室内側に突出する様に湾曲し、前記ガイドローラが前記ガイドレールから外れる可能性がある。又、熱により、樹脂製の前記ガイドローラが溶融してしまい、パネルに対する水平方向の規制がなくなる場合がある。
【０００６】
この為、パネルが、建屋の前壁から離反して、シャッタカーテンの両端部或は上部のパネルと前壁との間に隙間が生じ、この隙間から火炎が噴出する可能性がある。
【先行技術文献】
【特許文献】
【０００７】
【特許文献１】特開２００８−２６１１７７号公報
【発明の概要】
【発明が解決しようとする課題】
【０００８】
本発明は斯かる実情に鑑み、火災発生時に、パネルが加熱されて湾曲し、ガイドローラがガイドレールから外れた場合でも、又ガイドローラが溶融してパネルの水平方向の規制力が失われた場合でも、シャッタカーテンの両端部で、或はシャッタカーテンの上部で隙間が生じることによってこの隙間から火炎が噴出するのを抑制し、防火性能を高めるものである。
【課題を解決するための手段】
【０００９】
本発明は、パネルが屈曲自在に連結されたシャッタカーテンを有し、該シャッタカーテンがガイドレールに沿って昇降するパネルシャッタに於いて、前記ガイドレール及び前記シャッタカーテンの端部を覆う様にサイドカバーを躯体側に設けたパネルシャッタに係るものである。
【００１０】
又本発明は、上方に延出し、先端部が逆凹状に形成されたハング部材が最上段のパネルに固着され、前記躯体側の、前記シャッタカーテンが閉鎖状態で、前記ハング部材に対応する位置にフック部材が設けられ、前記最上段のパネルが降下することで、前記ハング部材と前記フック部材が係合する様にしたパネルシャッタに係り、又前記フック部材は、前記躯体側に固定されるフック固定板と、該フック固定板を介して前記躯体側に固定されるフックプレートとを有し、前記ハング部材は前記シャッタカーテン幅全長、或は略全長に亘る長さを有し、係合片は所要数、所要の間隔で設けられ、前記フック固定板は上下方向に位置調整可能であり、又前記係合片は水平方向に位置調整可能であるパネルシャッタに係り、又前記フック固定板は熱変形可能な様に製作され、前記係合片は前記シャッタカーテンを支持可能な強度に製作したパネルシャッタに係るものである。
【００１１】
更に又本発明は、前記パネルはアルミニウム合金の中空部材であり、中空部に補強部材を嵌入したパネルシャッタに係るものである。
【発明の効果】
【００１２】
本発明によれば、パネルが屈曲自在に連結されたシャッタカーテンを有し、該シャッタカーテンがガイドレールに沿って昇降するパネルシャッタに於いて、前記ガイドレール及び前記シャッタカーテンの端部を覆う様にサイドカバーを躯体側に設けたので、前記ガイドレールがシャッタカーテンに対して水平方向の規制力を失った場合、前記サイドカバーがシャッタカーテン、パネルの端部に係合してパネル、シャッタカーテン傾斜を抑止し、躯体との間で隙間が発生することを防止する。又、前記サイドカバーは、ガイドレール及びシャッタカーテンの端部を覆うので意匠性が向上する。
【００１３】
又本発明によれば、上方に延出し、先端部が逆凹状に形成されたハング部材が最上段のパネルに固着され、前記躯体側の、前記シャッタカーテンが閉鎖状態で、前記ハング部材に対応する位置にフック部材が設けられ、前記最上段のパネルが降下することで、前記ハング部材と前記フック部材が係合する様にしたので、前記最上段のパネルの降下を抑制し、シャッタカーテンの上端に隙間が発生することを防止する。
【００１４】
又本発明によれば、前記フック部材は、前記躯体側に固定されるフック固定板と、該フック固定板を介して前記躯体側に固定されるフックプレートとを有し、前記ハング部材は前記シャッタカーテン幅全長、或は略全長に亘る長さを有し、係合片は所要数、所要の間隔で設けられ、前記フック固定板は上下方向に位置調整可能であり、又前記係合片は水平方向に位置調整可能であるので、パネルシャッタの設置条件にあわせて、フック部材の取付け位置が調整でき、フック部材の取付けの汎用性が増すと共に作業性が向上する。
【００１５】
又本発明によれば、前記フック固定板は熱変形可能な様に製作され、前記係合片は前記シャッタカーテンを支持可能な強度に製作したので、前記フック固定板が熱変形しても、フックプレートの取付けには大きく影響を及さず、又フックプレートはシャッタカーテンを支持するのに充分な強度を有すると共に適宜な大きさに分割されているので、熱変形の影響が少ない。
【００１６】
更に又本発明によれば、前記パネルはアルミニウム合金の中空部材であり、中空部に補強部材を嵌入したので、前記パネルの剛性が増大し、前記パネルの熱変形が抑制される。
【図面の簡単な説明】
【００１７】
【図１】本発明が実施されるパネルシャッタの一例であるオーバヘッドドアの概略図である。
【図２】該オーバヘッドドアの側断面図である。
【図３】本発明の要部を示し、オーバヘッドドア上部の部分断面図である。
【図４】図３のＡ−Ａ矢視図である。
【図５】オーバヘッドドア上部の部分斜視図である。
【図６】該オーバヘッドドアに使用されるフック固定板の説明図である。
【図７】該オーバヘッドドアに使用されるフックプレートの説明図である。
【図８】該オーバヘッドドアに使用される補強部材を示す、パネルの上部部分図である。
【発明を実施するための形態】
【００１８】
以下、図面を参照しつつ本発明の実施例を説明する。
【００１９】
先ず、図１、図２に於いて、本発明が実施されるパネルシャッタの一例であるオーバヘッドドアについて概略を説明する。
【００２０】
建屋等の躯体の開口部１の両側柱２に沿って、縦ガイドレール３が設けられ、天井に沿って横ガイドレール４が設けられ、前記縦ガイドレール３と前記横ガイドレール４とは湾曲レール５によって連結されている。前記縦ガイドレール３の上方には水平な巻取りシャフト６等が設けられている。
【００２１】
シャッタカーテン７は所要数のパネル８が屈曲自在に連結されて構成され、各パネル８の両端にはガイドローラ９が支軸（図示せず）を介して回転自在に設けられている。
【００２２】
該ガイドローラ９は、前記縦ガイドレール３、前記湾曲レール５、前記横ガイドレール４に転動自在に嵌合し、前記シャッタカーテン７は前記縦ガイドレール３、前記湾曲レール５、前記横ガイドレール４に沿ってスライド可能となっている。
【００２３】
前記巻取りシャフト６はブラケット１１を介し躯体側（図示では側柱２）に回転自在に設けられている。前記巻取りシャフト６の両端部にはドラム１２が設けられ、該ドラム１２に巻付けられたワイヤ１３が前記シャッタカーテン７の下端部に係着されている。又、前記巻取りシャフト６にはバランススプリング１４が設けられ、該バランススプリング１４は前記ワイヤ１３を介して前記シャッタカーテン７を上昇方向に付勢している。
【００２４】
前記開口部１が開かれる場合は、前記巻取りシャフト６を介し前記ドラム１２が回転されることで前記ワイヤ１３が巻取られ、前記シャッタカーテン７が前記縦ガイドレール３に沿って引上げられ、更に前記横ガイドレール４に格納される様になっている。
【００２５】
又、前記開口部１が閉じられる場合は、前記巻取りシャフト６を介して前記ドラム１２が逆方向に回転され、前記ワイヤ１３が繰出されて前記シャッタカーテン７が降下され、前記開口部１が閉じられる。
【００２６】
前記バランススプリング１４には捩りコイルバネが使用され、該バランススプリング１４が所定量回転され初期トルクが付与された状態で取付けられ、前記巻取りシャフト６に巻取り方向の回転力を付勢する様になっている。前記シャッタカーテン７には前記ワイヤ１３を介して上昇力が付勢され、前記シャッタカーテン７を開閉する際の動力が軽減されている。
【００２７】
図３〜図５を参照して、本発明について具体的に説明する。
【００２８】
図３〜図５中、１５は建屋躯体の前壁を示しており、該前壁１５に前記側柱２が取付けられ、該側柱２に前記縦ガイドレール３が取付けられている。該縦ガイドレール３には前記開口部１の中心側に向って開口するレール溝１６が形成されており、該レール溝１６に前記ガイドローラ９が転動自在に嵌合する。又、該ガイドローラ９は前記パネル８の端面から突出する支軸１７に軸受（図示せず）を介して回転自在に設けられている。
【００２９】
前記側柱２には、鉄製或はステンレス鋼製のサイドカバー１８が前記縦ガイドレール３に沿って平行に取付けられている。前記サイドカバー１８は前記縦ガイドレール３の全長、略全長又は一部に亘って延在し、上端は前記湾曲レール５と前記縦ガイドレール３との接続部近傍に位置している。尚、図示では、前記サイドカバー１８は前記縦ガイドレール３と前記側柱２に共締されているが、個別に固定されてもよい。又、前記サイドカバー１８は左右の前記縦ガイドレール３にそれぞれ対応して設けられ、左右で対称となっている。
【００３０】
図４に示される様に、該サイドカバー１８の断面形状は、前記側柱２に固定されるフランジ部から直角に屈曲されて前記縦ガイドレール３と平行に立上がり、又該縦ガイドレール３の上方で前記パネル８と平行に屈曲され、先端部が前記パネル８とオーバラップする様になっている。又、前記パネル８の端部と前記サイドカバー１８の先端部間の間隙は、前記シャッタカーテン７が昇降する場合に接触しない程度に小さい方が好ましい。尚、前記サイドカバー１８の先端部と前記パネル８間の隙間が大きい場合、或は前記サイドカバー１８の剛性を高めたい場合は、前記先端部を更に前記パネル８側に屈曲させてもよい。
【００３１】
従って、前記サイドカバー１８は前記縦ガイドレール３と前記パネル８の端部とを抱込む様に、前記縦ガイドレール３、前記パネル８の端部を覆っている。
【００３２】
又、該パネル８の外面と前記側柱２との間には前記縦ガイドレール３の全長、或は略全長に亘って縦シール１９が設けられ、前記シャッタカーテン７の閉鎖状態で前記側柱２と前記シャッタカーテン７との間をシールしている。前記縦シール１９は、例えばシリコーンゴム成形品やガラス繊維材等の不燃性の材料から成る。
【００３３】
図３、図５に示される様に、前記シャッタカーテン７の最上段のパネル８ａの上端面にはハング部材２１が固着され、該ハング部材２１は、前記パネル８ａの幅全長に亘って延在している。
【００３４】
前記ハング部材２１は、鋼板或はステンレス鋼板を屈曲成形したものであり、該ハング部材２１の断面形状は、前記パネル８ａの上端面から垂直に立上がり、上端部が２度屈曲されて逆凹状の係合溝２２が形成されている。
【００３５】
前記前壁１５の室内側にはフック部材２３が固着されている。該フック部材２３は、前記シャッタカーテン７の閉鎖状態で前記ハング部材２１に対向する様に位置付けされている。
【００３６】
前記フック部材２３は、前記ハング部材２１に対向して前記前壁１５に固着され、前記ハング部材２１の全長に掛渡るフック固定板２４と、該フック固定板２４に所定間隔で所要数設けられるフックプレート２５とを有している。
【００３７】
前記フック固定板２４は、図６に示される様に、鋼板或はステンレス鋼板を屈曲成形したものであり、断面がＬ字形状であり、前記フック固定板２４の垂直部分には、前記前壁１５に固定する為の取付け孔２６が水平方向に所定間隔で穿設されている。又、該取付け孔２６は上下方向に長い長孔となっており、前記フック固定板２４の取付け位置が上下方向で調整できる様になっている。
【００３８】
前記フックプレート２５は、図７に示される様に、鋼板或はステンレス鋼板を屈曲成形したものであり、該フックプレート２５の断面はＬ字形状に成形した後、水平部先端を更に上方に屈曲させて係合片２７を形成した鉤形状となっている。
【００３９】
前記フックプレート２５は、前記フック固定板２４を通して前記前壁１５に固定されるか、或は前記フック固定板２４に固着されるかの何れかであり、前記フックプレート２５の取付けとは独立して前記フック固定板２４が前記前壁１５側に固定される様になっている。前記フックプレート２５の取付け孔２８は、水平方向に２箇所設けられ、又水平方向に長い長孔となっている。従って、前記フック固定板２４が取付けられた後、前記フックプレート２５が取付けられ、更に該フックプレート２５は水平方向に位置が調整できる様になっている。
【００４０】
尚、図示では、前記フック部材２３を前記前壁１５に直接取付けたが、まぐさが設けられている場合は、まぐさに設けてもよい。
【００４１】
次に、前記ハング部材２１と前記フック部材２３との関係は、前記シャッタカーテン７が閉鎖した状態で、前記係合片２７は前記係合溝２２に非接触で挿入された状態となる。
【００４２】
又、前記フック固定板２４、前記フックプレート２５は、火災時の熱膨張を考慮して、前記フック固定板２４の板厚は、前記フックプレート２５に対して薄くなっており、例えば前記フック固定板２４が板厚０．５〜１．０ｍｍとすると、前記フックプレート２５は板厚１．２〜２．０ｍｍとなっており、前記フック固定板２４は長尺部材であることを考慮し、部材自体で熱変形し易い様になっている。又、熱変形を容易にする為、前記フック固定板２４に前記取付け孔２６を短いピッチで多数穿設し、該フック固定板２４の固定は、前記取付け孔２６の内、所要箇所を選択する様にしてもよい。
【００４３】
又、前記フックプレート２５は、前記シャッタカーテン７の重量を支持する充分な剛性強度を有する様になっており、又前記フックプレート２５自体の熱変形に対しては前記取付け孔２８と固定するボルトとの間の余裕分で対応する様になっている。
【００４４】
尚、図３中、２９は閉鎖状態で、前記パネル８ａと前記前壁１５間の隙間をシールする横シールである。該横シール２９は、例えばシリコーンゴム成形品やガラス繊維材等の不燃性の材料から成る。
【００４５】
次に、図８に於いて、最上段のパネル８ａの補強について説明する。
【００４６】
上記した様に、前記パネル８は加熱されることで、内外面間の膨張差で湾曲する。湾曲することで、前記ガイドローラ９が前記縦ガイドレール３から外れる場合が考えられる。更に、前記パネル８ａについては湾曲することで、該パネル８ａと前記前壁１５間で隙間を生じ、この隙間から火炎が噴出することも考えられる。
【００４７】
従って、前記パネル８ａについては、熱変形を生じない様に補強を実施する。
【００４８】
該パネル８ａはアルミニウム合金の成形品であり、中空構造となっており、中空内部に鉄製或はステンレス鋼製の補強部材３１を嵌入する。該補強部材３１は、前記パネル８ａの全長に亘る長さを有し、中空形状に沿って屈曲成形したものであり、断面は一部が開放された形状となっている。図示では、矩形の中空部に対して、矩形の１箇所の角部が欠切した開放断面となっている。前記補強部材３１は３箇所が屈曲された断面を有するので、大きな剛性を有する。又、前記補強部材３１の取付けは、該補強部材３１を僅かに大きめに製作し、前記パネル８ａに圧入する様にすれば、弾性力により、前記補強部材３１は前記パネル８ａに保持される。又、他の取付方法として、パネルとのビス又はリベットによる取付け、又は溶接でもよい。
【００４９】
尚、前記補強部材３１は前記パネル８ａのみではなく、他のパネル８についても嵌入してもよい。又、前記ハング部材２１は、前記パネル８ａの補強部材としての機能も有する。
【００５０】
以下、作用について説明する。
【００５１】
先ず、前記サイドカバー１８の作用について説明する。
【００５２】
該サイドカバー１８は、前記縦ガイドレール３、前記シャッタカーテン７、前記パネル８の端部を覆うので、意匠性が向上する。
【００５３】
又、火災が発生し、前記パネル８が加熱され、該パネル８が熱変形で湾曲して前記ガイドローラ９が前記縦ガイドレール３から外れた場合、或は前記ガイドローラ９が溶融した場合、更に該ガイドローラ９が溶融して前記支軸１７が前記縦ガイドレール３から外れた場合等、該縦ガイドレール３による前記パネル８に対する水平方向（パネル８の面に対して垂直方向）の規制力が失われた場合、前記シャッタカーテン７、或は個々の前記パネル８は前記前壁１５から離反する方向に傾斜する。
【００５４】
この場合、前記サイドカバー１８が前記シャッタカーテン７の端部に存在するので、該シャッタカーテン７或は個々のパネル８は、前記サイドカバー１８に当接して、それ以上の傾きは生じない。又、前記パネル８の端部と前記サイドカバー１８の先端部間の間隙を極力小さくすることで、前記縦ガイドレール３による規制力がなくなった場合でも、前記パネル８は殆ど傾くことがない。
【００５５】
従って、前記シャッタカーテン７と前記前壁１５との間で大きく隙間は生じない。更に、前記サイドカバー１８は、前記シャッタカーテン７の端部を覆っているので、前記シャッタカーテン７と前記前壁１５との間で隙間が生じた場合でも、隙間を通して直接室内と外部とが通じることはない。
【００５６】
前記パネル８ａについては湾曲することで、該パネル８ａと前記前壁１５間で隙間を生じる。前記ハング部材２１、前記補強部材３１は前記パネル８ａの剛性を高めて、熱変形量を抑制し、前記隙間が生じることを防止する。又、前記パネル８ａが湾曲すると、前記ハング部材２１と前記係合片２７が水平方向で係合し、前記パネル８ａの湾曲を抑制する。
【００５７】
更に、該パネル８ａがアルミニウム合金製であり、加熱の為に一部が溶落する場合もある。前記補強部材３１は前記パネル８ａの全長に亘り嵌入されており、該補強部材３１が溶落部分を封鎖するので、前記パネル８ａに孔が明いて、室内と外部が通じることが防止される。
【００５８】
前記シャッタカーテン７が閉鎖状態では、前記パネル８が下段から順次積上げられた状態となっており、上段のパネル８は下段のパネル８に載置する構造となっている。従って、前記下段のパネル８が傾く等して、前記上段のパネル８を支える機能に支障が生じると、前記上段のパネル８は下方に移動する。この為、前記パネル８ａが下がって、該パネル８ａの上方に隙間を生じることが考えられる。
【００５９】
前記ハング部材２１、前記フック部材２３は斯かる事態を防止するものである。
【００６０】
前記パネル８ａが下がると、前記ハング部材２１が前記フックプレート２５に係合し、前記パネル８ａ、即ち前記シャッタカーテン７は前記ハング部材２１を介して前記フックプレート２５に吊下げられた状態となる。従って、前記パネル８ａの上側に間隙、開口が形成されることが防止される。又、前記ハング部材２１、前記フック固定板２４は前記パネル８ａの全長に亘っているので、該パネル８ａの上側に隙間が生じる場合でも、この隙間は前記ハング部材２１、前記フック固定板２４によって封鎖される。
【００６１】
如上の如く、本発明では、シャッタカーテン７が加熱された場合に、シャッタカーテン７と建屋躯体間で隙間が生じることを抑制でき、パネルシャッタの防火性能を高める。
【符号の説明】
【００６２】
１              開口部
２              側柱
３              縦ガイドレール
７              シャッタカーテン
８              パネル
８ａ            パネル
９              ガイドローラ
１５            前壁
１６            レール溝
１８            サイドカバー
２１            ハング部材
２２            係合溝
２３            フック部材
２４            フック固定板
２５            フックプレート
３１            補強部材
【図１】
2010222872.tif 000003
【図２】
2010222872.tif 000004
【図３】
2010222872.tif 000005
【図４】
2010222872.tif 000006
【図５】
2010222872.tif 000007
【図６】
2010222872.tif 000008
【図７】
2010222872.tif 000009
【図８】
2010222872.tif 000010